(57)【要約】【課題】清掃において、糸モツプの頑固な汚れの洗浄と、困難な水絞りを短時間で納得できるように果すために。【解決手段】ケース１の上部には、前方の脱水部にモツプ差し込み可能な開口と底部に複数の小孔を有した脱水容器５が内設され、その脱水容器５に洗った水分を含むモツプを差し込みそのモツプを脱水するためのモーター吸引機が下部ケース１の底板上面に配置され、吸引管が脱水部側に配管されて脱水される。また汚れたモツプの差し込み柄を上下して洗う洗い籠６、６ａが、ケース１上部の中間に水洗浄部と、後方に洗剤洗浄部を設けて内設され、外部の水道に繋がる導水管が水切り枠１６上面に導水コツク１８を有して蛇口が水洗浄部側に取り付けられ、蛇口から水を出し続けても２つの洗浄部を仕切る壁板の連通口と後方の筒状の放水口により水量位置が保持されモツプのよい洗浄と、モーター吸引機が最大出力１１００Ｗ〜１４００Ｗ範囲内で十分な脱水が可能。【選択図】図１
2019037735.tif 000002
【特許請求の範囲】
【請求項１】
ケースには、上部にモツプ差し込み可能な開口を有した脱水容器を内説する脱水部と、洗い籠を内説する２つの洗浄部が設けられ、
２つの前記洗浄部の上部緑回りに上面から洗浄部側に下がり部分を有した水切り枠が設けられ、
前記脱水部と、２つの前記洗浄部の底に排水口と繋がる排水管が下側に配管され、
前記ケースの底面上部にモーター吸引機が配置され、吸引管が前記脱水部側に配管され、
外部の水道に繋がる導水管が前記水切り枠上面に導水コツクを有して蛇口が前記ケースの中間に位置する前記洗浄部側に取り付けられ、
２つの前記洗浄部を仕切る壁板の水量位置に連通口が設けられ、
前記ケースの後方に位置する前記洗浄部の底の前記排水口を、開閉する弁を下部に有した上部の水量位置に放水口を有し上端が前記水切り枠上面にコツクを有した筒状が設けられ、
前記モーター吸引機で吸引された排気を排出する排気排出口が、前記排水管に繋げられ、
前記ケースの上部に中央から両側に分かれた蓋を設けたモツプ洗浄脱水装置。
【請求項２】
前記蛇口から水の導入を続けられても水量位置に前記連通口と、前記放水口を設けたことで２つの前記洗浄部内の水量位置が保持されることを可能にした請求項１記載のモツプ洗浄脱水装置。
【請求項３】
前記排気排出口の回りを気密に囲み、内部に排気排出口と排気放出口を有して、放出管で排気放出口から前記排水管とを繋いだことを請求項１記載のモツプ洗浄脱水装置。
【請求項４】
前記ケースの外回りに合わせて上部中央から両側に分かれた前記蓋の側端と、前記ケースの側端とが複数の蝶番状で接続され、２つの前記蓋が垂直より幾分外側に広がって係止される蝶番状を有して左右に分かれた前記蓋を設けた請求項１記載のモツプ洗浄脱水装置
【発明の詳細な説明】
【技術分野】
【０００１】  本発明は、ビルと工場、または商店などで床拭き清掃に使用されている糸モツプの洗浄と、脱水を図ったモツプ洗浄脱水装置に関する。
【背景技術】
【０００２】  従来のモツプ洗浄脱水機はモツプの洗浄部が１つであり、モーター吸引機で吸引された排気が洗浄部側に送り込まれていた［例えば特許文献１を参照］【０００３】  以下、図６、図７、図８に示すように従来からあるモーター吸引機に対して、吸引羽根を包むカバーの下面から上部のモーター側のモーター換気口を含めて覆い、送気管とダンバーによる送風板の開口部などが設けられている。
【先行技術文献】
【特許文献】
【０００４】
【特許文献１】特開平２００４−８９２９７号公報
【発明の概要】
【発明が解決しようとする課題】
【０００５】  上述した、従来のモツプ洗浄脱水機では洗浄部が１つであるためよい洗浄ができなく、洗剤を入るとモツプに洗剤が含まれるため、そのモツプをモーター吸引機で吸引すると、洗剤による泡と水分を含む空気が脱水部から吸引羽根を通して排気排出口からモーター側を覆ったことでモーター室まで送り込まれ、モーターの故障の原因になっていた。【０００６】  そして、本発明は目的を達成するためにケースの上部に脱水部と、２つの洗浄部を設けて、床を拭いた汚れたモツプの良い洗浄が可能にさせている。【０００７】  また、従来のモーター吸引機の上部のフアンからのモーター排気口を除き、排気排出口の回りを気密に囲み、内部に排気排出口と排気放出口を有して排気放出口と排気管とを放出管で繋なぎ外部に備えることで、モーター吸引機の故障を防ぐようにされている。
【課題を解決するための手段】
【０００８】  そして、本発明は上記の目的を達成するためにケースには上部がモツプ差し込み可能な開口を有した脱水容器を内説する脱水部と、洗い籠を内説する２つの洗浄部が設けられ、２つの前記洗浄部の上部緑回りに上面から洗浄部側に下かり部分を有した水切り枠が設けられ、前記脱水部と、２つの前記洗浄部の底に排水口と繋がる排水管が下側に配管され、前記ケースの底面上部にモーター吸引機が配置され、吸引管が前記脱水部側に配管され、外部の水道に繋がる導水管が前記水切り枠上面に導水コツクを有して蛇口が前記ケースの中間に位置する前記洗浄部側に取り付けられ、２つの前記洗浄部を仕切る壁板の水量位置に連通口が設けられ、前記ケースの後方に位置する前記洗浄部の底の前記排水口を、開閉する弁を下部に有した上部の水量位置に放水口を有し上端が前記水切り枠上面にコツクを有した筒状が設けられ、前記モーター吸引機で吸引された排気を排出する排気排出口が、前記排水管に繋げられ、前記ケースの上部に中央から両側に分かれた蓋を設けたものである。
【発明の効果】
【０００９】  上述したように汚れたモツプを洗う場合には、１つより２つの洗浄部の両方が水であっても効果はあるが、一方に洗剤を入れることでより洗浄を可能にさせている。【００１０】  また、ケース上部の中間に位置する水洗浄部側の蛇口から導入される水は、仕切る壁板の水量位置に設けられた連通口と、後方の洗剤洗浄部の水量位置に設けられた放水口により、水の導入を続けても流れて両方の水量位置が保たれ余分な水は放水口から配水管を通って外部に排出されるので、汚れたモツプの洗浄と、拭き清掃を連続して可能にさせている。【００１１】  また、洗浄した水分を含むモツプを脱水容器に差し込み柄を下に押し下げることで底部の複数の小孔がモツプの糸部分で密閉され、その状態で十分な吸引力を加えられる従来のバキューム用モーター吸引器では最大出力１、１００Ｗ〜１、４００Ｗ範囲内であれば、モツプの十分な脱水は可能とされる。
【図面の簡単な説明】
【００１２】
【図１】本発明の実施形態を示すモツプ洗浄脱水装置の斜視図
【図２】本発明の図７におけるＡ−Ａ線断面図
【図３】脱水容器の斜め上から見た斜視図
【図４】洗い籠の斜め上から見た斜視図
【図５】従来の糸モツプを斜め横から見た縦側面図
【図６】従来のモーター吸引機を斜め上から見た縦側面図
【図７】本発明の蓋を閉めた後方から見た縦側面図
【図８】モーター排気口を除き、排気排出口の回りを包囲材で気密に囲んだ斜視図
【発明を実施するための形態】
【００１３】  以下、本発明の形態を図１〜図８に基づいて説明する。
【００１４】  図においてケース１本体は、上部を開口にして内部に備えられる選択されたケース１に形成されている。
【００１５】  そして、図２に示すようにケース１の内部を仕切り底板Ｃで上部ケース１ａと、下部ケース１ｂに仕切られ、上部ケース１ａをさらに仕切り壁板Ｂで前方から脱水部２と、中間部に水洗浄部３と、後方部に洗剤洗浄部４が仕切られて設けられ、それらの内部に取り付られるモツプ３０を差し込み可能な上部に開口部５Ｍを有した脱水容器５と、開口部６Ｍを有した２つの洗い籠６、６ａが設けて備えられている。
【００１６】  また、脱水部２の上部に気密に取り付けられる脱水容器５は、上部の開口部５Ｍの回りが外側に水平に出っ張りが、脱水部２の内側回りに合わせて入いる巾の係止部５ａが形成され、部分にビス孔５ｃを設けて備えられている。
【００１７】  また、脱水部２には、上部の内回りに係止部５ａと、介在するパツキン材Ａを取り付ける厚さを選択された上部位置に脱水容器５が収まる巾の内向きに出っ張り２ａが形成され設けられている。
【００１８】  また、下部が幾分縮小して底部に複数の小孔を設けた脱水容器５が、脱水部２の内側回りに水受空間Ｌを有して嵌め込まれ、内回りの出っ張り２ａと、係止部５ａとの間にゴムパツキンＡを介在してビス孔５ｃからビスで気密に脱水容器５が浮いた状態で取り付けされている。
【００１９】  また、図２に示すように脱水部２の内側には、下部ケース１ｂに配置されたモーター吸引機８から吸引管１０が仕切り底板Ｃと、壁板Ｂを貫通されて脱水部２側に吸引口１０ａ取り付けられ、脱水部２の底には、排水口１４と繋がる仕切り床板Ｃの下側に配管された排水管１５を形成して排水口１４の下側に空気減小弁１３を介在して設けられている。
【００２０】  また、仕切り底板Ｃの下側に配水管が、ケース１の前方中央から後方が外部から下方に配管され固定されている。
【００２１】  また、上部ケース１ａの中間の水洗浄部３と、後方の洗剤洗浄部４の上部緑回りに、上面から２つの洗浄部側に下がり部分を有して水の飛び出しを防ぐ水切り枠１６が設けられている。
【００２２】  また、２つの洗浄部３、４の内側回りに水受空間Ｅを有して取り付けられる２つの洗い籠６、６ａは、複数の穴を設けた板状で形成され、２つの洗い籠６、６ａの上部の端回りに板材７が取り付けされ、水切り枠１６の下がり部分に板材７部分を合わせて板材７側のビス孔７ａからビスで取り付け取り外し自在にして２つの洗浄部３、４の内部に洗い籠ｂ、６ａが設けられている。
【００２３】  また、上部ケース１ａの後方端が外側に幾分出っ張った下側に、外部の水道に繋げられる導水管１７の端が外部に突出して備えられ、反対側は、洗剤洗浄部４の水受空間Ｅを通って上部の水切り枠１６上面を貫通させ導入コツク１８を有して蛇口１９が仕切る壁板Ｂの水洗浄部３側に取り付けられ、その壁板Ｂの水量位置に連通口２０が設けられている。
【００２４】  また、水洗浄部３の水受空間Ｅの底には、下側の排水管１５に繋がった排水口２１ａに、下端が幾分差し込まれた棒状２１ｃの下部をパイプ状にした下端が切り抜きの排水口２１Ｄと、その上にゴム輪弁２１Ｄを取り付けた棒状２１ｃの上部がネジ棒に形成され、そのネジ棒に連携するナツト状が水切り枠１６の下側に形成され、ネジ棒上端が水切り枠１６の上面に排水コツク２１が取り付けられ、排水コツク２１を回すことでネジによりゴム輪弁２１ｂが上下して排水口２１ａが開閉される。
【００２５】  また、洗剤洗浄部４側の水受空間Ｅには、底部の下側にある排水管１５に繋がった排水口２２に、下端が幾分差し込まれた部分が切り抜き排水口２３Ｄに形成されたその上にゴム輪弁２３ｃが取り付けられた内部が空道になった筒状２３であって、水量位置には放水口２３ａが設けられ、その上部がネジ棒にされ、ネジ棒に連携する水切り枠１６の下側にナツト状に形成され、ネジ棒の上端が水切り枠１６の上面にコツク２３ｂが取り付けられた筒状２３が設けられ、コツクを回すことでネジによりゴム輪弁が上下して排水口が開閉される。
【００２６】  また、図２、図６に示すように従来のバキユーム用モーター吸引機８は、上部にモーター室８ｂ側と、下部に吸引羽根９ｂ側との間を仕切る円形状の仕切り板材Ｎが、上面から中央部分が窪み、外側回りは下がって複数の排気排出口９ａが形成され、モーター吸引機８の中央には回転軸８Ｅが仕切り板材ＮにベアリングＤを介在して貫通させ上部から下部に配置され、回転軸８Ｅの上部に外部の空気を取り入れるフアン８ａが取り付けられ、フアン８ａから送り込まれる冷却空気がモーター室８ｂを通り仕切られた仕切り板材Ｎの窪みの上面にモーター排気口８ｃが設けられて排出され、下部は吸引羽根９ｂが取り付けられ、排気排気口９ａの下側から円筒状のカバーＧが吸引羽根９ｂを覆って、下面中央に吸引穴９が設けられている。
【００２７】  そして、上述した従来のモーター吸引機８のカバーＧの下面から覆う下包囲材１１ａは、カバーＧの回りに対して下包囲材１１ａの内側が一方を除き同間隔で形成された底面には、吸引穴９に取り付けた吸引管１０を通す開口を有して通し、一方長手方向の端には排気放出口１２が設けられ、カバーＧの下面の巾に合わせた軟性板材ＦがカバーＧの下面に介在され、下包囲材１１ａの回りが立ち上がって、仕切り板材Ｎの上面の高さに合わせて外側回りに水平に折り曲げられ、上部に蓋をする上板１１ｃを取り付けられる巾の出っ張り１１ｂが形成されて下包囲材１１ａが備えられている。
【００２８】  また、下包囲材１１ａの回りの出っ張り１１ｂに合わせた蓋をする上板１１ｃは、窪みの円に合わせた開口が設けられ、仕切り板材Ｎの上面部分と、出っ張り１１ｂの巾部分に上板１１ｃえ、ビス孔を設けて備えられ、
【００２９】  また、形成された上板１１ｃと、対称する軟性板材Ｅを形成して上板１１ｃの下側に張り付け、上板１１ｃを下包囲材１１ａの出っ張り１１ｂに合わせて蓋をしたビス孔にビスで、またはビスとナツトＰで気密に止められ、内部に排気排出口９ａと排気放出口１２を有した排気室１１が設けられている。
【００３０】  また、下包囲材１１ａの下側には排気放出口１２からケース１後方の外側下方に配置された排気管１５とを排気放出管１２ａで繋がれ、排水管１５の端が外部に配置されている。
【００３１】  また、下包囲材１１ａの下側から下部ケース１ｂの底に対して吸引管１０と排気放出管１２ａを配管する空間を有して、支持材Ｋが前後に固定して設けられ、モーター吸引機８の全体を支えられている。
【００３２】  また、モーター吸引機８を起動させるスイツチ２４が下部ケース１ｂに内設され、前方の開閉外壁板３３の外側下にスイツチ２４と繋がるスイツチペタル２５が設けられている。
【００３３】  また、図７に示すように下部ケース１ｂ後方の外側には、アースを含むスイツチ２４に繋がったコード２９が先端に差し込み具Ｓを取り付けて外部に配置され、外壁板の上部には排気開口部２ｂが設けられている。
【００３４】  また、図１、図７に示すようにケース１の外回りに合わせた上部中央から両側に分かれた蓋２７の側端と、ケース１の側端とが複数の蝶番状３２で接続され、両方の蓋２７が垂直より外側に広がって係止され開閉される、中央の蓋２７が合わさる部分に平行して取っ手２７ａが両方に取り付けされ、中央から両側に分かれた蓋２７開き角度により使用するペースと、水の飛び出しを防ぐ左右の蓋２７が設けられている。
【符号の説明】
【００３５】１    ケース            １０    吸引管        ２３ｃ  ゴム輪弁
１ａ  上部ケース        １０ａ  吸引口        ２３Ｄ  排水口
１ｂ  下部ケース        １１    排気室        ２４    スイツチ
２    脱水部            １１ａ  下包囲材      ２５    スイツチペタル
２ａ  出っ張り          １１ｂ  出っ張り部    ２６    排気開口部
３    水洗浄部          １１ｃ  上板          ２７    蓋
４    洗剤洗浄部        １２    排気放出口    ２７ａ  取手
５    脱水容器          １２ａ  排気放出管    ２９    コード
５ａ  脱水部            １３    空気減小弁    ３０    モツプ
５ｂ  小孔              １４    排水口        ３２    蝶番状
５ｃ  ビス孔            １５    排水管        ３３    開閉外壁板
５Ｍ  開口部            １６    水切り枠      Ａ      ゴムパツキン
６    洗い籠            １７    導水管        Ｂ      仕切り壁板
６ａ  洗い籠            １８    導水コツク    Ｃ      仕切り底板
６Ｍ  開口部            １９    蛇口          Ｄ      ベアリング
７    板材              ２０    連通口        Ｅ      水受空間
７ａ  ビス孔            ２１    排水コツク    Ｆ      軟性板材
８    モーター吸引機    ２１ａ  排水口        Ｇ      カバー
８ａ  フアン            ２１ｂ  ゴム輪弁      Ｎ      仕切り板材
８ｂ  モーター室        ２１ｃ  棒状          Ｋ      支持材
８ｃ  モーター排気口    ２１Ｄ  排水口        Ｌ      水受空間
８Ｆ  回転軸            ２２    排水口        Ｓ      差し込み具
９    吸引穴            ２３    筒状          Ｐ      ビスとナツト
９ａ  排気排出口        ２３ａ  放水口
９ｂ  吸引羽根          ２３ｂ  コツク
【図１】
2019037735.tif 000003
【図２】
2019037735.tif 000004
【図３】
2019037735.tif 000005
【図４】
2019037735.tif 000006
【図５】
2019037735.tif 000007
【図６】
2019037735.tif 000008
【図７】
2019037735.tif 000009
【図８】
2019037735.tif 000010
【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
ケースには、上部にモツプ差し込み可能な開口を有した脱水容器を内設する脱水部と、洗い籠を内設する２つの洗浄部が設けられ、
２つの前記洗浄部の上部縁周りに上面から洗浄部側に下がり部分を有した水切り枠が設けられ、
前記脱水部と、２つの前記洗浄部の底に排水口と繋がる排水管が下側に配管され、
前記ケースの底面上部にモーター吸引機が配置され、吸引管が前記脱水部側に配管され、
外部の水道に繋がる導水管が前記水切り枠上面に導水コツクを有して蛇口が前記ケースの中間に位置する前記洗浄部側に取り付けられ、
２つの前記洗浄部を仕切る壁板の水量位置に連通口が設けられ、
前記ケースの後方に位置する前記洗浄部の底の前記排水口を、開閉する弁を下部に有した上部の水量位置に放水口を有し上端が前記水切り枠上面にコツクを有した筒状が設けられ、
前記モーター吸引機には、前記モーター吸引機を気密に囲む下包囲材及び上板が設けられ、
前記下包囲材及び前記上板は、前記モーター吸引機で吸引された排気を排出する排気排出口を覆うと共に、前記下包囲材には、前記排水管に接続される排気放出管が設けられ、
前記ケースの上部に中央から両側に分かれた蓋を設けたモツプ洗浄脱水装置。
【請求項２】
前記蛇口から水の導入を続けられても水量位置に前記連通口と、前記放水口を設けたことで２つの前記洗浄部内の水量位置が保持されることを可能にした請求項１記載のモツプ洗浄脱水装置。
【請求項３】
前記ケースの外周りに合わせて上部中央から両側に分かれた前記蓋の側端と、前記ケースの側端とが複数の蝶番状で接続され、２つの前記蓋が垂直より幾分外側に広がって係止される蝶番状を有して左右に分かれた前記蓋を設けた請求項１記載のモツプ洗浄脱水装置。
【手続補正２】
【補正対象書類名】明細書
【補正対象項目名】０００４
【補正方法】変更
【補正の内容】
【０００４】
【特許文献１】特開２００４−８９２９７号公報
【手続補正３】
【補正対象書類名】明細書
【補正対象項目名】０００７
【補正方法】変更
【補正の内容】
【０００７】
また、従来のモーター吸引機の上部フアンからのモーター排気口を除き、排気排出口の周りを気密に囲み、内部に排気室と排気放出口を有して排気放出口と排水管とを排気放出管で繋なぎ外部に備えることで、モーター吸引機の故障を防ぐようにされている。
【手続補正４】
【補正対象書類名】明細書
【補正対象項目名】０００８
【補正方法】変更
【補正の内容】
【０００８】
そして、本発明は上記の目的を達成するためにケースには上部にモツプ差し込み可能な開口を有した脱水容器を内設する脱水部と、洗い籠を内設する２つの洗浄部が設けられ、２つの前記洗浄部の上部縁周りに上面から洗浄部側に下がり部分を有した水切り枠が設けられ、前記脱水部と、２つの前記洗浄部の底に排水口と繋がる排水管が下側に配管され、前記ケースの底面上部にモーター吸引機が配置され、吸引管が前記脱水部側に配管され、外部の水道に繋がる導水管が前記水切り枠上面に導水コツクを有して蛇口が前記ケースの中間に位置する前記洗浄部側に取り付けられ、２つの前記洗浄部を仕切る壁板の水量位置に連通口が設けられ、前記ケースの後方に位置する前記洗浄部の底の前記排水口を、開閉する弁を下部に有した上部の水量位置に放水口を有し上端が前記水切り枠上面にコツクを有した筒状が設けられ、前記モーター吸引機には、前記モーター吸引機を気密に囲む下包囲材及び上板が設けられ、前記下包囲材及び上板は、前記モーター吸引機で吸引された排気を排出する排気排出口を覆うと共に、前記下包囲材には、前記排水管に接続される排気放出管が設けられ、前記ケースの上部に中央から両側に分かれた蓋を設けたものである。
【手続補正５】
【補正対象書類名】明細書
【補正対象項目名】００１６
【補正方法】変更
【補正の内容】
【００１６】
また、脱水部２の上部に気密に取り付けられる脱水容器５は、上部の開口部５Ｍの周りが外側に水平に出っ張りが、脱水部２の内側周りに合わせて入いる巾の係止部５ａが形成され、部分にビス孔５ｃを設けて備えられている。
【手続補正６】
【補正対象書類名】明細書
【補正対象項目名】００１７
【補正方法】変更
【補正の内容】
【００１７】
また、脱水部２には、上部の内周りに係止部５ａと、介在するパツキン材Ａを取り付ける厚さを選択された上部位置に脱水容器５が収まる巾の内向きに出っ張り２ａが形成され設けられている。
【手続補正７】
【補正対象書類名】明細書
【補正対象項目名】００１８
【補正方法】変更
【補正の内容】
【００１８】
また、下部が幾分縮小して底部に複数の小孔を設けた脱水容器５が、脱水部２の内側周りに水受空間Ｌを有して嵌め込まれ、内周りの出っ張り２ａと、係止部５ａとの間にゴムパツキンＡを介在してビス孔５ｃからビスで気密に脱水容器５が浮いた状態で取り付けされている。
【手続補正８】
【補正対象書類名】明細書
【補正対象項目名】００２０
【補正方法】変更
【補正の内容】
【００２０】
また、仕切り底板Ｃの下側に排水管１５が、ケース１の前方中央から後方が外部から下方に配管され固定されている。
【手続補正９】
【補正対象書類名】明細書
【補正対象項目名】００２１
【補正方法】変更
【補正の内容】
【００２１】
また、上部ケース１ａの中間の水洗浄部３と、後方の洗剤洗浄部４の上部縁周りに、上面から２つの洗浄部側に下がり部分を有して水の飛び出しを防ぐ水切り枠１６が設けられている。
【手続補正１０】
【補正対象書類名】明細書
【補正対象項目名】００２２
【補正方法】変更
【補正の内容】
【００２２】
また、２つの洗浄部３、４の内側周りに水受空間Ｅを有して取り付けられる２つの洗い籠６、６ａは、複数の穴を設けた板状で形成され、２つの洗い籠６、６ａの上部の端周りに板材７が取り付けられ、水切り枠１６の下がり部分に板材７部分を合わせて板材７側のビス孔７ａからビスで取り付け取り外し自在にして２つの洗浄部３、４の内部に洗い籠６、６ａが設けられている。
【手続補正１１】
【補正対象書類名】明細書
【補正対象項目名】００２６
【補正方法】変更
【補正の内容】
【００２６】
また、図６に示すように従来のバキューム用モーター吸引機８は、上部にモーター室８ｂ側と、下部に吸引羽根９ｂ側との間を仕切る円形状の仕切り板材Ｎが、上面から中央部分が窪み、外側周りは下がって複数の排気排出口９ａが形成され、モーター吸引機８の中央には回転軸８Ｅが仕切り板材ＮにベアリングＤを介在して貫通させ上部から下部に配置され、回転軸８Ｅの上部に外部の空気を取り入れるフアン８ａが取り付けられ、フアン８ａから送り込まれる冷却空気がモーター室８ｂを通り仕切られた仕切り板材Ｎの窪みの上面にモーター排気口８ｃが設けられて排出され、下部は吸引羽根９ｂが取り付けられ、排気排出口９ａの下側から円筒状のカバーＧが吸引羽根９ｂを覆って、下面中央に吸引穴９が設けられている。
【手続補正１２】
【補正対象書類名】明細書
【補正対象項目名】００２７
【補正方法】変更
【補正の内容】
【００２７】
そして、上述した従来のモーター吸引機８のカバーＧの下面から覆う下包囲材１１ａは、カバーＧの周りに対して下包囲材１１ａの内側が一方を除き同間隔で形成された底面には、吸引穴９に取り付けた吸引管１０を通す開口を有して通し、一方長手方向の端には排気放出口１２が設けられ、カバーＧの下面の巾に合わせた軟性板材ＦがカバーＧの下面に介在され、下包囲材１１ａの周りが立ち上がって、仕切り板材Ｎの上面の高さに合わせて外側周りに水平に折り曲げられ、上部に蓋をする上板１１ｃを取り付けられる巾の出っ張りｌｌｂが形成されて下包囲材１１ａが備えられている。
【手続補正１３】
【補正対象書類名】明細書
【補正対象項目名】００２８
【補正方法】変更
【補正の内容】
【００２８】
また、下包囲材１１ａの周りの出っ張りｌｌｂに合わせた蓋をする上板１１ｃは、窪みの円に合わせた開口が設けられ、仕切り板材Ｎの上面部分と、出っ張りｌｌｂの巾部分に、ビス孔を設けて備えられている。
【手続補正１４】
【補正対象書類名】明細書
【補正対象項目名】００２９
【補正方法】変更
【補正の内容】
【００２９】
また、形成された上板１１ｃと、対称する軟性板材Ｆを形成して上板１１ｃの下側に張り付け、上板１１ｃを下包囲材１１ａの出っ張り１１ｂに合わせて蓋をしたビス孔にビスで、またはビスとナツトＰで気密に止められ、内部に排気排出口９ａと排気放出口１２を有した排気室１１が設けられている。
【手続補正１５】
【補正対象書類名】明細書
【補正対象項目名】００３０
【補正方法】変更
【補正の内容】
【００３０】
また、下包囲材１１ａの下側には排気放出口１２からケース１後方の外側下方に配置された排水管１５とを排気放出管１２で繋がれ、排水管１５の端が外部に配置されている。
【手続補正１６】
【補正対象書類名】明細書
【補正対象項目名】００３３
【補正方法】変更
【補正の内容】
【００３３】
また、図７に示すように下部ケース１ｂ後方の外側には、アースを含むスイツチ２４に繋がったコード２９が先端に差し込み具Ｓを取り付けて外部に配置され、外壁板の上部には排気開口部２６が設けられている。
【手続補正１７】
【補正対象書類名】明細書
【補正対象項目名】００３４
【補正方法】変更
【補正の内容】
【００３４】
また、図１、図７に示すようにケース１の外周りに合わせた上部中央から両側に分かれた蓋２７の側端と、ケース１の側端とが複数の蝶番状３２で接続され、両方の蓋２７が垂直より外側に広がって係止され開閉される。中央の蓋２７が合わさる部分に平行して取っ手２７ａが両方に取り付けられ、中央から両側に分かれた蓋２７が開き角度により使用するペースと、水の飛び出しを防ぐ左右の蓋２７が設けられている。